(57)【特許請求の範囲】
【請求項１】
メモリカードを保持するカードホルダと、
計器類、スイッチ類を運転席の前方に設けるためのインストルメントパネルに設けられ、前記カードホルダが挿入される開口を有するケースと、
前記メモリカードを保持した前記カードホルダが前記ケースに収納されたとき、前記メモリカードと所定機器とを電気的に接続する接続手段と、
前記ケースにスライド可能に収納され、前記カードホルダの引出し方向への移動が制限されているとともに、前記ケースに挿入された前記カードホルダに係合するスライダと、
前記スライダを前記引出し方向に付勢するばねと、
前記カードホルダが前記引出し方向に引っ張られたときに、前記カードホルダと前記スライダとの係合の解除を許容する許容部と、
前記カードホルダが前記ケースに収納されたとき、前記許容部が前記係合を解除するのを規制する規制部と、
前記カードホルダが前記ケースに収納された状態で前記押圧操作されたとき、前記規制部による前記許容部に対する規制が解除される位置への前記スライダの移動を許容し、また、前記カードホルダが前記ケースに収納されたときに、前記許容部による前記係合の解除が前記規制部によって規制される位置で、前記スライダの移動を規制するカム機構とを備え、
前記カードホルダが前記ケースに収納された状態で押圧操作されたときに、前記ばねおよび前記スライダにより前記カードホルダがインストルメントパネル表面から突出するよう前記ケースから押出されるとともに、前記規制部による前記許容部に対する規制が解除されることによって、前記ケースからの前記カードホルダの引出しが可能となることを特徴とする車載用カードホルダ装置。
【請求項２】
請求項１記載の発明において、
前記カードホルダと前記スライダとの係合が、前記カードホルダに設けられた第１爪と、前記スライダに設けられた第２爪とより実現され、
前記許容部が前記第１爪および前記第２爪の少なくとも一方に設けられ、
前記規制部が前記ケースに設けられたことを特徴とする車載用カードホルダ装置。
【請求項３】
請求項２記載の発明において、
前記許容部は、前記第１爪と前記第２爪の少なくとも一方が前記カードホルダの引出し方向に直交する方向に移動することを許容し、前記規制部は、前記許容部の移動を規制することを特徴とする車載用カードホルダ装置。
【請求項４】
請求項３記載の発明において、
前記許容部は、前記第１爪と前記第２爪の少なくとも一方において、先端に前記第１爪あるいは前記第２爪が設けられ、可撓性を有する棒状部であることを特徴とする車載用カードホルダ装置。
【請求項５】
請求項４記載の発明において、
前記第２爪に対する前記第１爪の接触部と前記第１爪に対する前記第２爪の接触部の少なくとも一方に、前記カードホルダが引き出されるときに受ける力の方向に傾斜する傾斜面が設けられたことを特徴とする車載用カードホルダ装置。
【請求項６】
請求項１記載の発明において、
前記カム機構がハート型カムと、このハート型カム上に配置されたピンとを備えており、前記ケースに収納された状態の前記カードホルダに対する押圧操作により、前記ハートカムの突出部と前記ピンとの係合が解かれ、前記ばねおよび前記スライダにより前記カードホルダが押し出されるようになることを特徴とする車載用カードホルダ装置。
【発明の詳細な説明】
【０００１】
【発明の属する技術分野】
本発明は、運転席の前方に計器類、スイッチ類を設けるためのインストルメントパネルに設けられ、メモリーカードを保持するカードホルダーを収納して、そのメモリーカードと所定機器との電気的な接続を可能にする車載用カードホルダ装置に関する。
【０００２】
【従来の技術】
従来の車載用カードホルダ装置は、メモリカードが保持されるカードホルダと、このカードホルダを挿入したり引出したりする開口を有し、運転席の前方に計器類、スイッチ類を設けるためのインストルメントパネルに設けられるケースと、メモリカードを保持したカードホルダを、ケースに収納したときにメモリカードと所定機器とを電気的に接続する接続手段とが備えられている。
【０００３】
また、インストルメントパネルには、上述のケースの開口を配置する穴が形成され、この穴の縁部には、カードホルダを引出すときにカードホルダに指先を引っ掛けやすくするための凹部が設けられている。
【０００４】
【発明が解決しようとする課題】
ところで、車載用インストルメントパネルは、車両のグレードの高低に関係なく共通の部品として使用できるように、すべてのグレードのインストルメントパネルに上述の凹部が設けられることがある。このため、カードホルダ装置が設けられないグレードのインストルメントパネルでは、インストルメントパネルに設けられた穴は所定部材で塞がれるが、凹部はそのまま残るため、インストルメントパネルの美観を損ねるという問題があった。
【０００５】
また、カードホルダ装置が設けられるグレードのインストルメントでは、このインストルメントパネルに設けられる他の操作ボタンやツマミなどが、押圧操作や回転操作されるのに対し、カードホルダだけが指先を引っ掛けて引き出すので、操作性が悪いという問題もあった。
【０００６】
本発明は、上述の現状を考慮してなされたもので、その目的は、インストルメントパネルに凹部を設けることなく、カードホルダを引き出すことができる車載用カードホルダ装置を提供することにある。
【０００７】
【課題を解決するための手段】
上述の目的を達成するために、本発明は、メモリカードを保持するカードホルダと、計器類、スイッチ類を運転席の前方に設けるためのインストルメントパネルに設けられ、前記カードホルダが挿入される開口を有するケースと、前記メモリカードを保持した前記カードホルダが前記ケースに収納されたとき、前記メモリカードと所定機器とを電気的に接続する接続手段と、前記ケースにスライド可能に収納され、前記カードホルダの引出し方向への移動が制限されているとともに、前記ケースに挿入された前記カードホルダに係合するスライダと、前記スライダを前記引出し方向に付勢するばねと、前記カードホルダが前記引出し方向に引っ張られたときに、前記カードホルダと前記スライダとの係合の解除を許容する許容部と、前記カードホルダが前記ケースに収納されたとき、前記許容部が前記係合を解除するのを規制する規制部と、前記カードホルダが前記ケースに収納された状態で前記押圧操作されたとき、前記規制部による前記許容部に対する規制が解除される位置への前記スライダの移動を許容し、また、前記カードホルダが前記ケースに収納されたときに、前記許容部による前記係合の解除が前記規制部によって規制される位置で、前記スライダの移動を規制するカム機構とを備え、前記カードホルダが前記ケースに収納された状態で押圧操作されたときに、前記ばねおよび前記スライダにより前記カードホルダがインストルメントパネル表面から突出するよう前記ケースから押出されるとともに、前記規制部による前記許容部に対する規制が解除されることによって、前記ケースからの前記カードホルダの引出しが可能となることを特徴とする。
【０００８】
このように構成した本発明では、メモリーカードをカードホルダに保持させて、このカードホルダをケースの開口に挿入して、このケース内に収納すると、メモリカードと所定機器とが電気的に接続可能な状態になる。このとき、カードホルダとスライダとが係合し、許容部によるその係合の解除が規制部よって規制されるとともに、カム機構によりスライダの移動が規制されるので、カードホルダの移動も規制されて、メモリカードは安定した状態で所定機器と電気的に接続される。
【０００９】
そして、カードホルダを押圧操作すると、ばねおよびスライダによりカードホルダがケースから押出され、インストルメントパネル表面から突出する。これと同時に規制部による許容部に対する規制が解除される。この結果、ケースからのカードホルダの引出しが可能となる。すなわち、インストルメントパネル表面から突出したカードホルダ部分を把持して、カードホルダを引出すことができる。
【００１０】
このように本発明では、カードホルダを押圧操作すればインストルメントパネル表面よりもカードホルダが突出するので、突出したカードホルダ部分を把持してカードホルダを引出すことができる。すなわち、インストルメントパネルに凹部を設けることなく、カードホルダを引出すことができる。
【００１１】
上述の発明において、前記カードホルダと前記スライダとの係合が、前記カードホルダに設けられた第１爪と、前記スライダに設けられた第２爪とより実現され、前記許容部が前記第１爪および前記第２爪の少なくとも一方に設けられ、前記規制部が前記ケースに設けられたものであってもよい。この場合、前記許容部は、前記第１爪と前記第２爪の少なくとも一方が前記カードホルダの引出し方向に直交する方向に移動することを許容するものであり、前記規制部は、前記許容部の移動を規制するものであってもよい。さらに、前記許容部は、前記第１爪と前記第２爪の少なくとも一方において、先端に前記第１爪あるいは前記第２爪が設けられ、可撓性を有する棒状部であるものであってもよい。また、前記第２爪に対する前記第１爪の接触部と前記第１爪に対する前記第２爪の接触部の少なくとも一方に、前記カードホルダが引き出されるときに受ける力の方向に傾斜する傾斜面が設けられたものであってもよい。また、前記カム機構がハート型カムと、このハート型カム上に配置されたピンとを備えており、前記ケースに収納された状態の前記カードホルダに対する押圧操作により、前記ハートカムの突出部と前記ピンとの係合が解かれ、前記ばねおよび前記スライダにより前記カードホルダが押し出されるようになるものであってもよい。
【００１２】
このように構成した発明では、カードホルダをケースに収納すると、スライダの許容部の設けられた爪が、カードホルダの引出し方向に対する直交方向への移動を規制部によって規制された状態で、第１爪と第２爪が係合した状態に保持される。
【００１３】
そして、カードホルダを押圧操作すると、ハートカムの突出部とピンとの係合が解かれ、ばねおよびスライダによりカードホルダが押し出される。これにより、スライダは、許容部の設けられた爪が、カードホルダを引出す方向に対する直交方向に移動可能となる。この状態では、カードホルダに与えられる引出し方向の力が、傾斜面を介して許容部の設けられた爪に作用するので、カードホルダを引っ張ると、その爪がカードホルダの引出し方向に対する直交方向に移動する。これにより、第１爪と第２爪とが摺動し、第１爪がカードホルダの引出し方向に移動する。
【００１４】
したがって、この発明では、カードホルダの引出し方向への移動の規制およびその規制の解除を確実におこなうことができる。
【００１５】
【発明の実施の形態】
本発明のカードホルダ装置の一実施形態を図に基づいて説明する。
【００１６】
図１は、本実施形態を示す分解斜視図、図２は、本実施形態に備えられるカードホルダがケースから引出されるまでの動作を示す斜視図、図３は、本実施形態の内部での第１爪と第２爪の動作、およびハート型カムの動作を示す断面図である。
【００１７】
本実施形態は、図示しないが、運転席の前方に計器類、スイッチ類を設けるためのインストルメントパネルに設置してあり、図１に示すように、手動で押圧操作される操作部１が一体に設けられ、小型メモリカード１１を保持するカードホルダ１０と、インストルメントパネルに設置され、カードホルダ１０が挿入される開口２１を有するケース２０と、小型メモリカード１１を保持したカードホルダ１０がケース２０に収納されたとき、小型メモリカード１１と所定機器とを電気的に接続にする接続手段３０を備えている。
【００１８】
操作部１は、図２に示すように、インストルメントパネルに設けられた他の操作ボタン２〜５と隣接させて設けてある。
【００１９】
カードホルダ１０は、図１に示すように、小型メモリカード１１が保持されるカード保持部１２と、このカード保持部１２の両側部のそれぞれに設けられ、ケース２０へのカードホルダ１０の挿入をガイドするスライドガイド部１３のそれぞれとを備えている。スライドガイド部１３上面および側面のそれぞれには、ケース２０内に設けられた図示しない突起部が摺動するガイド溝１４，１５を設けてある。
【００２０】
ケース２０は、上述のカードホルダ１０が挿入される開口２１と、ケース２０の両側部のそれぞれに設けられ、ケース２０を所定部位に固定する取付部２２のそれぞれを備えている。また、ケース２０後部には、接続手段３０が配置されるコネクタカバー２３と、ケース２０後部に取付けられ、接続手段３０等を支持する後部支持体５０を取付けるための切欠き２５，２７および穴２６を設けてある。
【００２１】
接続手段３０は、小型メモリカード１１に設けらた図示しない端子と接続されるカードコネクタ３４と、このカードコネクタ３４が取付けられるＰＣＢ基板３１と、このＰＣＢ基板３１を介してカードコネクタ３４と接続され、小型メモリカード１１と所定機器とを接続する外部接続用コネクタ３２とを備えている。
【００２２】
特に、本実施形態では、カードホルダ１０がケース２０に収納されたとき、カードホルダ１０の引出し方向への移動を規制する規制手段と、カードホルダ１０がケース２０に収納された状態でのカードホルダ１０に対する押圧操作に連動して、カードホルダ１０の引出し方向への移動の規制を解除する解除手段と、この解除手段によって規制が解除されたとき、カードホルダ１０がインストルメントパネル表面よりも突出するように、カードホルダ１０を押出す押出し手段とを設けてある。
【００２３】
規制手段は、図１，３に示すように、ケース２０内にスライド可能に設けられ、カードホルダ１０の引出し方向に付勢されるスライダ４０と、カードホルダ１０のスライドガイド部１３の両方の下面のそれぞれに設けられる第１爪１６のそれぞれと、スライダ４０の両側部のそれぞれに設けられ、カードホルダ１０がケース２０に収納されると第１爪１６のそれぞれと係合する第２爪４１のそれぞれとを含む。
【００２４】
スライダ４０の両側部のそれぞれには、スライドガイド部４２をそれぞれ設けてあり、このスライドガイド部４２の上面および側面のそれぞれには、ケース２０内に設けられる図示しない突起部が摺動するガイド溝４３，４４を設けてある。
【００２５】
第２爪４１に対する第１爪１６の接触部と、第１爪１６に対する第２爪４１の接触部との少なくとも一方、例えば図３に示すように、第２爪４１に、カードホルダ１０が引出されるときに受ける力の方向に傾斜する傾斜面４１ａを設けてある。
【００２６】
また、解除手段は、第１爪１６および第２爪４１の少なくとも一方、例えば第２爪４１を、カードホルダ１０の引出し方向に対する直交方向に移動させることが可能な許容部と、この許容部による第２爪４１の移動を、カードホルダ１０が収納されたときに規制する規制部とを備えている。
【００２７】
すなわち、許容部は、スライダ４０のスライドガイド部４２の前端面に突出ささせて設けられ、前端に第２爪４１が形成された可撓性を有する棒状部４９である。ケース２０の内部底面には段差を設けてあり、第２爪４１が一段低い底面部分２０ｂ上に位置したときに棒状部４９が撓むことが許容されるようにしてある。
【００２８】
また、規制部は、上述の底面部分２０ｂよりも一段高い底面部分２０ａであり、この底面部分２０ａ上に第２爪４１が位置したときに、棒状部４９の撓みが規制されるようにしてある。
【００２９】
そして、スライダ４０には、図３（ａ２）〜（ｃ２）に示すように、一方の側部の下面にハート型カム４７を設け、このハート型カム４７に従動するピン２８を、ケース２０に取付けてある。
【００３０】
ピン２８は、図１に示すように、コ字状の部材から成り、一端をケース２０側部に回動可能に取付け、他端をハート型カム４７上に配置してある。また、このピン２８の中間部分には、ピン２８の他端をハート型カム４７に押付けるばね部材２９を配置し、このばね部材２９は、ケース２０に取付けてある。
【００３１】
ハート型カム４７は、中央に形成されるハート型の突出部４８と、この突出部４８の周囲に形成される複数の傾斜面および複数の段差の組み合わせとによって、ピン２８が一方向にのみ移動するように設定してある。
【００３２】
つまり、このハート型カム４７およびピン２８によって、カードホルダ１０がケース２０に収納された状態で押圧操作されたときに、第２爪４１が一段低い底面部分２０ｂ上に位置するように、スライダ４０を位置決めし、また、カードホルダ１０がケース２０に収納されたときに、第２爪４１が、一段高い底面部分２０ａ上に位置するように、スライダ２０を位置決めするように設定してある。
【００３３】
また、スライダ４０後部の両側部のそれぞれには、スライダ４０をカードホルダ１０の引出し方向に付勢するためのコイルばね５１を取付けるばね取付部４５をそれぞれ設けてある。
【００３４】
また、スライダ４０後部には、上述の接続手段３０等を支持するための後部支持体５０を取付けてある。この後部支持体５０は、上述の接続手段３０に設けられた切欠き３３が係止される図示しない係止部と、外部接続用コネクタ３２が支持される枠状の支持部５４とを備える。また、後部支持体５０の両側部のそれぞれには、上述のコイルばね５１を収納するばね室５２をそれぞれ設けてある。ばね室５２の上面には、スライダ４０のスライド方向に沿ってスリット５３を設け、スライダ４０後部上面には突起部４６を設けてスリット５３内に配置して、コイルばね５１のばね力によるスライダ４０の移動が制限されるようにしてある。
【００３５】
後部支持体５０上面には、ケース２０に設けられた切欠き２５，２７および穴２６に適合する突部５５，５７および係止爪５８、およびケース２０縁部に当接する突部５６，５９を設けてある。
【００３６】
また、押出し手段は、スライダ４０に設けられたスライドガイド部４２の前端面４２ａを、カードホルダ１０の後端面１７に当接するように設けて、上述のコイルばね５１のばね力がカードホルダ１０に与えられるようにしたものである。
【００３７】
このように構成した本実施形態は、ケース２０からカードホルダ１０が引出される際、次のように操作される。
【００３８】
図２（１）に示すように、カードホルダ１０は、ケース２０に収納されている。このとき、操作部１の前面は、隣接する操作ボタン２〜５の前面と同一面内にある。ケース２０内では、図３（ａ１），（ａ２）に示すように、ハート型カム４７中央の突出部４８とピン２８とが係合しているので、スライダ４０が、カードホルダ１０の引出し方向へ移動しないように規制されている。
【００３９】
操作部１をＤ方向に押圧すると、同図２（２）に示すように、操作部１は隣接する操作ボタン２〜５よりも少し凹む。このとき、ケース２０内では、スライダ４０がカードホルダ１０に押圧され、スライダ４０がコイルばね５１に抗して移動する。これに伴って、図３（ｂ２）に示すように、ハート型カム４７中央の突出部４８とピン２８との係合が解除され、スライダ４０の付勢方向への移動が許容され、図３（ｂ１）に示すように、スライダ４０がコイルばね５１のばね力によって押出され、カードホルダ１０がスライダ４０に押出される。これにより、図２（３）に示すように、操作部１がＥ方向に押出され、カードホルダ１０がインストルメントパネル表面よりも、すなわち隣接する操作ボタン２〜５よりも突出する。
【００４０】
また、このとき、ケース２０内では、第２爪４１が、図３（ｂ１）に示すように、ケース２０に設けられた一段低い底面部分２０ｂ上まで移動するので、第２爪４１は、棒状部４９の撓みに伴ってカードホルダ１０の引出し方向に対する直交方向に移動可能な状態となる。
【００４１】
この状態でカードホルダ１０が引っ張られると、ケース２０内では、カードホルダ１０に与えられた引出し方向の力が、第２爪４１に設けられた傾斜面４１ａを介して第１爪１６から第２爪４１に作用する。すなわち、第２爪４１には、カードホルダ１０の引出し方向に対する直交方向の力が作用し、これに伴って、第２爪４１と一体の棒状部４９が撓み、その撓みに応じて第２爪４１が、カードホルダ１０の引出し方向に対する直交方向に移動する。これにより、第１爪１６が傾斜面４１ａ上を摺動して引出し方向に移動するので、図３（ｃ１）に示すように、第１爪１６と第２爪４１との係合が解ける。したがって、図２（４）に示すように、操作部１を把持してカードホルダ１０を引出すことができる。
【００４２】
このように本実施形態では、操作部１を押圧操作すると、インストルメントパネル表面よりも操作部１が突出するので、突出した操作部１を把持してカードホルダ１０を引出すことができる。したがって、インストルメントパネルに凹部を設けずに済むので、インストルメントパネルの美観を向上させることができる。
【００４３】
また、本実施形態では、操作部１の押圧操作が、周囲に設けられる操作ボタンやツマミなどの押圧操作や回転操作にも調和するので、操作性を向上させることができる。
【００４４】
また、本実施形態では、操作ボタン２〜５のように、付近にもスイッチ類などの機材を設けることができ、インストルメントパネルのスペースを効率よく利用することができる。
【００４５】
【発明の効果】
以上のように、本発明では、カードホルダを押圧操作すると、インストルメントパネル表面よりもカードホルダが突出し、突出したカードホルダ部分を把持してカードホルダを引出すことができるので、インストルメントパネルに凹部を設けることなく、カードホルダを引き出すことができる。これにより、インストルメントパネルの美観を向上させることができる。
【００４６】
また、本発明では、カードホルダの押圧操作は、周囲に設けられる操作ボタンやツマミなどの押圧操作や回転操作にも調和するので、操作性を向上させることができる。
【００４７】
また、本発明では、付近に他のスイッチ類を設けることができ、インストルメントパネルのスペースを効率よく利用することができる。
【図面の簡単な説明】
【図１】  本発明のカードホルダ装置の一実施形態を示す分解斜視図である。
【図２】  本実施形態に備えられるカードホルダが引出されるまでの動作を示す斜視図である。
【図３】  本実施形態の内部での第１爪と第２爪の動作、およびハート型カムの動作を示す断面図である。（ａ１）〜（ｃ１）は、第１爪と第２爪との係合状態からその係合状態が解かれるまでの動作を示す図であり、（ａ２）は（ａ１）のＡ矢視図、（ｂ２）は（ｂ１）のＢ矢視図、（ｃ２）は（ｃ１）のＣ矢視図である。
【符号の説明】
１０  カードホルダ
１１  小型メモリカード
１２  カード保持部
１６  第１爪
２０  ケース
２１  開口
２８  ピン
２９  ばね部材
３０  接続手段
４０  スライダ
４１  第２爪
４７  ハート型カム
【図１】
0003954369.tif 000002
【図２】
0003954369.tif 000003
【図３】
0003954369.tif 000004